(57)【要約】【課題】失禁パンツのパットは縫い込まれている為、着替えるまで取替えが出来ず、着替えに何枚も必要であり、又パツトの取り替えの製品も股下部分が３層、４層になっていて重く、通気性が悪く、蒸れ、臭い、ただれやすいという難点があり、パツトの入れ替えも前部から取替えるため小便、残尿等で濡れたり、汚れて不衛生であり、洗濯も乾きにくい等の問題があった。【解決手段】前側左右の角形状の位置でプリーツが開閉するようゴムで調節し、パットの入れ替えや小便時の性器の出し入れが容易であり、残尿による他の部分の汚染がなく、簡単に角形状部分から操作が出来、しかも調節止め部分があるためパットが前上に上がらず、防水性のある角形状部により通気性が良く、蒸れず、清潔感のある角形状と調節部のある男女兼用失禁パンツである。                                            【選択図】  図５
2010059554.tif 000002
【特許請求の範囲】
【請求項１】
布に原形布１−Aを裁断し、その空き布部分でバイヤステープ２３を裁断する、防水加工布2−Bに正バイヤス３を裁断し、原形布1−Aの股下４に当たる位置に正バイヤス３をミシンステッチ５で付ける、原形布1−Aの左側６の部分と左前側７と縫い合わすと角形状２０になり、原形布1−Aの右側８部分と右前側９と縫い合わすと、足の出る前側は角形状になり、足くり１０となる、足くり１０にバイヤステープ２３を裏側の正バイヤス３の付いている裏側から、表側に折り曲げ、ミシンステッチ５でゴム通し口１１を開けて縫い付ける、プリーツ部分１２を折り畳み、左プリーツ縫い合わせ部１３から左プリーツ縫い合わせ止め部１４までと一方の右プリーツ部分12を折り畳み、右プリーツ縫い合わせ部１５から右プリーツ縫い合わせ止め部１６まで縫い合わすと、左と右のプリーツ縫い合わせ止め部１４、１６の下部に折り畳まれた部分で調節部分17が出来る。ウエスト部分２２を折り曲げ、二本のゴムが通るようにミシンステッチ５で縫い、左プリーツ縫い合わせ部分１３の位置でゴム通し口１１を開けておき、ゴムを通し結ぶ、この位置でウエスト部分２２が調節でき、足くり前内側のゴム通し口１１からゴムを通し、結んだ後、ゴム通し口１１から引っ張り出し、ゴムの輪１８を作り左、右プリーツ縫い止め部１４、１６の下の足ぐりのバイヤステープ２３位置にループ又釦19を作り、ループ又は釦19はゴムの輪１８の中を通し止める、ゴム輪１８とプリーツ部分１２開閉で角形形状部分21となり、この構造にして股の横側より失禁パットの入れ替え、男性の小便等が簡単に調節出来る角形状部分２１と調節止め２４を設けて構成したことを特徴とする男女兼用失禁パンツ。
【請求項２】
本発明の男女兼用パンツは請求項１男女兼用失禁パンツと同じ工程で製造するが、防水加工布2−Bの正バイヤス３の部分を取り除き、その部分の股下となる位置で綿１００%２５の通気性のある布を付け、前側左右のプリーツ部分12を取り除き角形状２０の足くりにゴムを通す、男女兼用の普通パンツには調節部に調節止め２０はいらない、足くり前側左右を角形状２０にした事を特徴とする男女兼用普通パンツ。
【発明の詳細な説明】
【技術分野】
【０００１】
本発明は男性、女性も同じデザインで、男女兼用失禁パンツと生理パンツと男女兼用パンツで使用出来るパンツである、左右前足くり部分を角形状に構成することで、失禁パント、生理パットが上にあがらず、パットの取り替えが股下から取り替えられ、男性の小便等も角形状部から出来る、ゴムと調節止め部によって自動的に調節できる、角形状と調節止めに構成した男女兼用失禁パンツと角形状に構成した男女兼用パンツに関するものである。
【背景技術】
【０００２】
失禁パンツの多くはパットが縫い込まれている為、着替えるまで替えることが出来ず、着替えに何枚も必要であり、又パットの取り替えの製品は股下部分布が3層、4層になっていて重く、通気性も悪く、蒸れ、臭い、ただれやすく、パットの入れ替えも腹下前部から又男性は前開き部から取り替え、小便、残尿等で濡れ、汚れて不衛生であり、洗濯も乾きにくい等の問題が多い、又生理パット、普通パンツ、足くりぴったり沿っている為、通気性が悪く不快感である。
【０００３】
従来の失禁パンツは肌に当たる部分にネットが張られ、前のウエストから入れるようになっており、失禁パットがネットに引っかかり、折れたり、まがったり、入れにくく、前側で引っ張り出すと便が付き、女性は膀胱炎になりやすく、不衛生に感じ、衛生的にも問題がある。
【特許文献１】特開２００１−２５４８３
【０００４】
この目的に使用される従来の市販品は男性用はペニスパット用とかパンツ本体に吸収パットが縫い込まれていたり、又ウエスト部から失禁パットの入れ替えを行う為時間がかかり、小便する時に前開き部分から男性器を出しにくくなったり、小便をした後も残尿が残り、濡れ、ズボンや失禁パンツの外側も汚れる等の問題がある。
【０００５】
従来使用している失禁パットは化学繊維が多く使われていて高齢者の人は皮膚が弱い人も多く、ただれたり、むれたり、臭いがしたり、パットが浄化槽に流れ、詰まったり、洗濯機にパットと入れ、粉状になり詰まり、ゴミ箱に保管が多量になり、悪臭を出したり、又焼却すると公害も発生し環境にも悪く、使用パットの経費も多く掛かり、高齢者には負担が大きい等の問題があった。                                                            
【発明の開示】
【発明が解決しようとする課題】
【０００６】
従来の失禁パンツはパットの入れ替えはウエストから行なわれていて、腹の部分に尿が付いたり、衛生的に悪い、男女兼用失禁パンツは股下からパットを取り替える為、他の部分に尿が付かず、より早く簡単に取り替えが出来、調節部分１７の伸び縮により入れやすく負担がなく、又足くりの前側が従来のパンツより開放部分が多く開いている為に蒸れや、不愉快感がなく、男性は小便する時より早く男性器を出すことが出来、男性器を戻す時も防水布部分の角形状部分２１だけで処理できるので尿が他の部分に付かず、従来の失禁パンツ、普通パンツより足くりの前部分角形状２０と調節止めを構成して使用時に角形状部分２１のゴムが伸び縮みプリーツも開閉調節でき、調節止め部分がある為、パットが移動せず着用した時に今ままでにない通気性があり、軽く、操作しやすい、清潔感のある男女兼用の失禁パンツを考案した。
【０００７】
従来の失禁パンツはメッシュ、ネット、吸収布、綿等で4層〜5層に重ねてあり、蒸れや、通気性が悪く、洗っても乾きにくい等があり、又失禁パットの焼却は地球環境に悪く、粗大ゴミも多く出る又パットの費用が掛かり続ける、男女兼用失禁パンツは取り替えが出来、洗い変えて何度も使えるものに着眼し、専用の少し堅い綿のガーゼか、綿タオルを四分の一に切るか、小形の綿ハンカチか、ベビーオムツを小さくカットして使用し、洗うと経費は少なくて済む、このようなパットを取り替えるのも股下全部に行きわたり安全で安定できる。
【０００８】
従来の失禁パンツにはない、角形状部分でパットの入れ替えが簡単で、男性の性器も出しやすく、衛生的にも良く、通気性にも優れ、軽く失禁パンツとして機能性を果たす、特に高齢者、身体障害者の人も操作がしやすく、車椅子に坐った時も足くりの前側左右からパットの入れ替えが出来、今までにない角形状部と調節部のある男女兼用失禁パンツを提供することを目的とした。
【０００９】
請求項2に記載する男女兼用パンツは前側のプリーツ部分１２取り除き、前側左右の足くり１０を角形状２０に構成して従来のパンツは男性用と女性用に分かれていて、男性用パンツは股上の部分に小便をする時の男性器の出し入れ口があるが、男女兼用パンツは角形状部分から早く男性器を出し入れが出来る、又従来のパンツより角形状２０のため足くりが大きく開いている為、着る,脱ぎもしやすく、足もひつ掛からず、男性は前立て部分や釦、縫い目がなくズボンの前立て部分を重ならず、スリムに見え、軽くさわやかで開放感のある角形状２０のある男女兼用パンツを提供することを目的とするものである。
【課題を解決するための手段】
【００１０】
本発明は前記目的を達成するために請求項１に記載の男女兼用失禁パンツは布に原形布1−Aを裁断し、そのあき布部分でバイヤステープ２３を裁断する、防水加工布2−Bに正バイヤス３を裁断し、原形布1−Aの股下4に当たる位置に正バイヤス３をミシンステッチ5で付ける、原形布1−Aの左側６の部分と左前側７と縫い合わす、原形布1−Aの右側8部分と右前側９と縫い合わすと、足の出る形状になり、足ぐり１０となる、足ぐり１０にバイヤステープ２３を正バイヤス３の付いている側から表側に折り曲げ、ミシンステッチ５で縫い付ける、ゴム通し口１１を開けて縫い付け、プリーツ部分１２を折り畳み、左プリーツ縫い合わせぶ１３から左プリーツ縫い合わせ止め部１４までと一方のプリーツ部分12を折り畳み、右プリーツ縫い合わせ部１５から右プリーツ縫い合わせ止め部１６まで縫い合わすと、左と右のプリーツ縫い合わせ止め部１４，１６の下部に折り畳まれた調節部分１７が出来る。ウエスト部分２２を折り曲げ、二本のゴムが通るようにミシンステッチ５で縫い、左プリーツ縫い合わせ部分１３の位置でゴム通し口１１を開けておき、ゴムを通し結ぶ、この位置でウエスト部分２２が調節できる。
【００１１】
足くり前側のゴム通し口１１からゴムを通し、結んだ後、ゴム通し口１１から引っ張り出し、ゴムの輪１８を作り左、右プリーツ縫い止め部１４，１６の下の足くりのバイヤステープ２３位置にループ又は釦１９を作り、ループ又は釦１９はゴムの輪１８の中を通し止める、この調節止め24により前側ゴムによって引っ張られる為、失禁パンツが上にあがらず安定する、ゴムの輪１８とプリーツ部分１２開閉で角形状部分２１となり、この構造にして股下横側より失禁パンツの入れ替え、男性の小便等が簡単に調節できる角形状部分２１と調節止めを設け、構成としたことを特徴とする男女兼用失禁パンツ。
【００１２】
本発明の上述男女兼用パンツは請求項１男女兼用失禁パンツと同じ工程で製造するが、防水加工布2−Bの正バイヤス３の部分を取り除き、その部分に綿１００%２５の通気性のある布を付け前側左右のプリーツ部分１２を取り除き、角形状２０の足くりにゴムを通すが、特別体型者の人には足に合わせて調節止め24を付けてあげても便利であり、高齢者には股上を長くしてあげると履き良い、男女兼用普通パンツには調節部には調節止め２４はいらない、前側左右を角形状２０に構成したことを特徴とする男女兼用パンツである。 
【発明の効果】
【００１３】
本発明の男女兼用失禁パンツは綿１００%２５布の薄く、強く、洗いに強い布を使用する、布に化学繊維が入ると電気毛布や又パンツの上に化学繊維の入った服を着ると摩擦によりチカチカしてかゆく、湿疹もできることがあり、病院入院、在宅の寝たっきりとなると病着類は綿１００%２５との物を着る事を医者から指導を受けますが、高齢者になると皮膚が弱く衰え、綿１００%２５を使用し強く伸びないように綿形布1−Aのように縦織目方向で裁断し、股下に当たる防水加工布を使用する、防水加工布は微妙な通気性があり水分を全然通さない布を作製してもらい原形布１−Aになじむように正バイヤス3で裁断した正バイヤス３を原形布1−Aにミシンステッチ5で縫い付ける,原形布1−Aの両端６，７と８，９とを縫い合わせると足くりができ、足くりの前側左右は角形状２０となる、角形状部分２１と調節止め２４によりパットの取り替えが、簡単に出来、失禁パント横移動しなく、股下の蒸れ部分の通気性がなく着用すると軽やかさが分かる。足くりに裏側からバイヤステープ２３を縫い付け、表に折り曲げ角形状２０の位置でゴム通し口11を開け、バイヤステープ２３を縫いつける、裏側の防水加工2−Bの付いてる方から折り曲げて、表にバイヤステープ２３が付く為、失禁パットの漏れたのを取り出しても漏れない構成になる。
【００１４】
プリーツ部分１２を折り畳み左プリーツ縫い合わせ部13から左プリーツ縫い合わせ止め部14までと、一方折り畳み縫い合わせ部１５からプリーツ縫い合わせ止め部16まで縫い合わせ、一方１４と１６の下部分にはプリーツ折り畳み部12ができ調節部分１７となる、ウエスト部分22を折り曲げ二本のゴムが通るようにミシンステッチ５で縫い、プリーツ縫い合わせ部分１３の位置でゴム通し口11を開けて、そこにゴムを通し、この位置でウエスト部分２２が調節で出来、ゴムの入れ替えも出来る、足くり角形状２０位置のゴム通し口11よりゴムを通し結んだ後、ゴム通し口１１からゴムを引っ張り出し、ゴムの輪18を作り、プリーツを折り畳んだ下側の足くり１０のバイヤス位置にループ又は釦19を作り、ゴム輪18の中を通し止める、この調節止め２４により前側がゴムによって引っ張られる為、ゴムの輪18とループ部分の開閉で自動調節の役割ができ、角形状２０により角形状部分２１から失禁パットの入れ替え、男性の小便等がスムーズに出来、又男女兼用失禁パンツは生理パンツにも使用しても角形状部分２１があるため蒸れず、通気性が良く、生理中不快感が減少し、パットの入れ替えも調節部分21からでき調節止めと開閉調節部２６の機能が働き、伸び縮みしてパットが上に上がらず安定し、パットの入れ替えも横の角形状部分から入れ替えもスムーズにでき、角形状部分21が広く開いている為脱着も足にも引っかからず、健康な人はもとより、高齢者、身体障害者の人には軽く開放感があり、操作も簡単で今までにない最大の機能効果を発揮する男女兼用失禁パンツである。
【００１５】
上述したように本発明の男女兼用パンツは従来角形状20の形態のパンツはなく温暖化と共に通気性の良い、開放感のあるパンツが必要なことに着眼し考案した、又従来男性用のプリーツ形は暑く、蒸れ、いんきんタムシになりやすく、普通パンツは前立てがあり、ズボンの前立と重なり、すっきりとしない等の問題があり、又女性用パンツは従来のは足くりがぴったり沿って暑苦しく、又現在４０歳を過ぎた方でも出産後失禁される方がおられ、少量の場合は市販されている小型失禁パットを当てられるのに便利でよい、又男女兼用失禁パンツを生理パンツとして使用した結果とても良い、生理パンツの役割を果たし、着用して見ると外見は皆同じに見え、違和感がなく、開放感のある今までにない、操作の簡単な効果のある男女兼用パンツが提供できる。
【発明を実施するための最良の形態】
【００１６】
以下本発明の実施形態を図1〜図６に基づいて説明する。
【００１７】
図１において、素地である１００%の木綿布２５は薄く強く、洗いに強いものを使用し、反尺から原形布1−Aを裁断する。原形布1−Aの裁断した残り部分で足くり１０に使用するバイヤステープ２３を裁断する。
【００１８】
図２においては木綿布にゴム類か合成樹脂等で防水加工したものを使用する。綿布に防水加工を施すと微妙な通気性を持ち水分は通さない布になって、防水加工2−Bの布となり、それに股下表布に沿うように正バイヤス3で裁断して、原形布1−Aの股下４位置に、ミシンステッチ５で取付ける。
【００１９】
図3において原形布1−A左側６と左前側7を縫い合わせ、原形布1−Aの右側8と右前側９と縫い合わすと足くりができる。足くり１０の前側左右の縫い合わせ部分は角形状２０となる。
【００２０】
図4において角形状20の位置よりゴム通し口11を開け、バイヤステープ10を裏側の防水加工2−Bの正バイヤス３の方から、ゴム通し口１１まで縫い表側に折り返しミシンステッチ５で付けて、左プリーツ縫い合わせ部１３から左プリーツ縫い止め部14まで縫い、右プリーツ縫い合わせ部１５から右プリーツ縫い止め部１６まで縫い止める開閉調節部２６を作る。
【００２１】
男女兼用失禁パンツの完成図を示す図5において、ウエスト部分4を折り曲げゴムを二本通るようにミシンステッチ5で縫う、プリーツ縫い合わせ部13の裏側でゴム通し口１１を開けゴムを通し結ぶとウエストにあわせ調節できる、足くり１１前側のゴム通し口１１よりゴムを通し結んだ後ゴム通し口１１からゴムを引っ張り出し、ゴムの輪１８を作り、プリーツを折り畳んだ下側の足ぐり１０のバイヤステープ２３の位置にループ１９を作り、ゴムの輪１８の中を通し止める、又小さいボタンでも、鍵ホック等でも良い。ゴムの輪１８が固定するようゴムの輪１８の一方を止めておくと角形状部分２１となる。
【００２２】
図６は本発明においては着用し使用した時にゴムとプリーツの開閉構造により調節部分１７の機能を果たすもので、着用し横から見た斜視図と調節部分１７が開いた時の斜視図を示す。
【００２３】
図7は本発明においてプリーツ部分１２を取り除き、股下４に木綿１００%の布２５を取付け、ゴム通し口１１を開けて、角形状２０に構成した斜視図と角形状２０にゴムを通した男女兼用パンツの完成斜視図である。
【図面の簡単な説明】
【００２４】
【図１】本発明の原形図の構造裁断の説明図
【図２】本発明の股下当裁断の説明図
【図３】本発明の両端を縫い合わせた説明図
【図４】本発明の足くりにバイヤステープを付け、プリーツ部を畳            縫い合わせ角形状にした説明図
【図５】本発明のウエスト足くりにゴムを通し調節止めを付けた説明図
【図６】本発明を着用した横向図と使用した時の開閉調節部分の斜視図
【図７】本発明は男女兼用パンツのゴムを入れる前と入れた時の斜視図
【符号の説明】
【００２５】
1−A              原形布
2−B              防水加工布
・  正バイヤス
・  股下
・  ミシンステッチ
・  原形布1−Aの左側
・  左前側
・  原形布1−Aの右側
・  右前側
１０                足くり
１１                ゴム通し口
１２                プリーツ部分
１３                左プリーツ縫い合わせ部
１４                左プリーツ縫い止め部
１５                右プリーツ縫い合わせ部
１６                右プリーツ縫い止め部
１７                調節部分
１８                ゴムの輪
１９                ループ又は釦
２０                角形状
２１                角形状部分
２２                ウエスト部分
２３                バイヤステープ
２４                調節止め
２５                綿１００%                                
２６                開閉調節部
【図１】
2010059554.tif 000003
【図２】
2010059554.tif 000004
【図３】
2010059554.tif 000005
【図４】
2010059554.tif 000006
【図５】
2010059554.tif 000007
【図６】
2010059554.tif 000008
【図７】
2010059554.tif 000009